(57)【要約】【課題】ドライバビリティを確保するとともに、燃費を向上させることができるようにした、エンジン制御装置を提供する。【解決手段】車速検出手段４により検出された車速Ｖが第一設定車速を上回った後に車両の停車を示すことを含む所定の停車時アイドルストップ実施条件が成立すると、エンジン２を自動的に停止させる停車時アイドルストップを実施する第一制御手段１０と、車速検出手段４により検出された車速Ｖが第一設定車速よりも高い第二設定車速を上回った後に第二設定車速よりも低い第三設定車速を下回ったことを含む所定の走行時アイドルストップ実施条件が成立すると、車両の走行中にエンジン２を自動的に停止させる走行時アイドルストップを実施する第二制御手段２０と、を備える。【選択図】図１
2014196677.tif 000002
【特許請求の範囲】
【請求項１】
車両に搭載されるエンジンの作動状態を制御するエンジン制御装置であって、
車速検出手段により検出された前記車両の車速が第一設定車速を上回った後に前記車両の停車を示すことを含む所定の停車時アイドルストップ実施条件が成立すると、前記エンジンを自動的に停止させる停車時アイドルストップを実施する第一制御手段と、
前記車速検出手段により検出された前記車速が前記第一設定車速よりも高い第二設定車速を上回った後に前記第二設定車速よりも低い第三設定車速を下回ったことを含む所定の走行時アイドルストップ実施条件が成立すると、前記車両の走行中に前記エンジンを自動的に停止させる走行時アイドルストップを実施する第二制御手段と、を備えた
ことを特徴とするエンジン制御装置。
【請求項２】
前記エンジンの自動停止中に所定の再始動条件が成立すると、前記エンジンを自動的に再始動させるアイドルスタートを実施する第三制御手段を備え、
前記車両の走行中に前記再始動条件が成立して前記第三制御手段によって前記エンジンが自動的に再始動された場合、前記車両が停車するか、又は前記車速検出手段によって検出される前記車速が前記第二設定車速よりも高い第四設定車速を上回るまでは前記第二制御手段による前記エンジンの自動停止を禁止する
ことを特徴とする、請求項１記載のエンジン制御装置。
【請求項３】
前記第三設定車速は、前記第一設定車速よりも高い
ことを特徴とする、請求項１又は２記載のエンジン制御装置。
【発明の詳細な説明】
【技術分野】
【０００１】
本発明は、車両に搭載されたエンジンの制御を実施する装置に関するものである。
【背景技術】
【０００２】
車両のエンジン制御として、アイドルストップ制御が開発されている。このアイドルストップ制御では、アイドリング時に所定のアイドルストップ実施条件が成立するとエンジンを自動的に停止させ、その後、所定の再始動条件が成立するとエンジンを自動的に再始動させる。
【０００３】
アイドルストップ実施条件としては、例えば運転者による制動操作で停車したことが挙げられ、また、再始動条件としては、例えば停車時に運転者による制動操作が解除されることが挙げられる。
上記のアイドルストップ実施条件及び再始動条件によれば、渋滞時や車庫入れなど停車及び発車を頻繁に繰り返す場合には、エンジンの停止及び再始動が頻発してしまうおそれがある。これにより、ドライバビリティの悪化を招いてしまうおそれがある。
【０００４】
そこで、エンジンの停止及び再始動の頻発を回避すべく、例えば特許文献１に示される技術が開発されている。この技術では、再始動条件の成立に伴いエンジンを再始動させた場合、その後の車速が所定車速よりも高くなるまでエンジンの自動停止を禁止している。これにより、所定車速を超えない車速範囲で停車及び発車を頻繁に繰り返す場合に、エンジンが自動停止されることがなく、もちろんエンジンが再始動されることもない。
【０００５】
一方、エンジンを自動停止させる機会を増加させるために、例えば特許文献２に示される技術が開発されている。この技術では、車両の走行中に、制動操作がされ且つ車速が所定車速を下回ると、停車前であってもエンジンを自動停止している。これにより、エンジンを自動停止させる機会を増加させることができ、燃費を向上させることができる。
【先行技術文献】
【特許文献】
【０００６】
【特許文献１】特開２０１２―６７７１６号公報
【特許文献２】特開２０１１―１９６２８８号公報
【発明の概要】
【発明が解決しようとする課題】
【０００７】
ところで、エンジンの停止及び再始動の頻発を回避しつつ、エンジンを自動停止させる機会を増加させるためには、特許文献１の技術と特許文献２の技術とを組み合わせることが考えられる。そこで、エンジンの自動停止の開始時点を停車時点から停車直前の走行中に前倒ししたもの（以下、「組合せ技術」という）が考えられる。具体的には、車速が所定車速（以下、「エンジン停止許可車速」という）よりも高くなるまではエンジンの自動停止を禁止し、車速がエンジン停止許可車速を上回った後には、車速が停車直前の車速（以下、「エンジン停止開始車速」という）を下回ると車両走行中からエンジンを自動停止させる技術が考えられる。この場合、エンジン停止開始車速をエンジン停止許可車速よりも低い所定車速に設定することになる。
【０００８】
このエンジン停止開始車速を高く設定するほど、エンジンを自動停止させる機会を多くすることができる。しかし、この結果、エンジン停止開始車速がエンジン停止許可車速に接近するので、渋滞路などで車両がエンジン停止開始車速及びエンジン停止許可車速の付近の車速を上下しながら走行していると、エンジンの停止及び再始動が頻発してしまう。
【０００９】
これを回避するために、エンジン停止許可車速を高くすることが考えられる。エンジン停止許可車速を高くするほど、エンジン停止許可車速を超えない車速範囲におけるエンジンの停止及び再始動が回避されるため、ドライバビリティが確保されるが、エンジンを自動停止させる機会が減少してしまう。このように、組合せ技術では、エンジンの停止及び再始動の頻発を回避することとエンジンを自動停止させる機会を確保することとがトレードオフの関係になってしまう。
【００１０】
本発明の目的の一つは、上記のような課題に鑑み創案されたもので、ドライバビリティを確保するとともに、燃費を向上させることができるようにした、エンジン制御装置を提供することである。
なお、この目的に限らず、後述する発明を実施するための形態に示す各構成により導かれる作用効果であって、従来の技術によっては得られない作用効果を奏することも本発明の他の目的として位置づけることができる。
【課題を解決するための手段】
【００１１】
（１）上記の目的を達成するために、本発明のエンジン制御装置は、車両に搭載されるエンジンの作動状態を制御するエンジン制御装置であって、車速検出手段により検出された前記車両の車速が第一設定車速を上回った後に前記車両の停車を示すことを含む所定の停車時アイドルストップ実施条件が成立すると前記エンジンを自動的に停止させる停車時アイドルストップを実施する第一制御手段と、前記車速検出手段により検出された前記車速が前記第一設定車速よりも高い第二設定車速を上回った後に前記第二設定車速よりも低い第三設定車速を下回ったことを含む所定の走行時アイドルストップ実施条件が成立すると前記車両の走行中に前記エンジンを自動的に停止させる走行時アイドルストップを実施する第二制御手段と、を備えたことを特徴としている。
【００１２】
（２）前記エンジンの自動停止中に所定の再始動条件が成立すると前記エンジンを自動的に再始動させるアイドルスタートを実施する第三制御手段を備え、前記車両の走行中に前記再始動条件が成立して前記第三制御手段によって前記エンジンが自動的に再始動された場合、前記車両が停車するか、又は前記車速検出手段によって検出される前記車速が前記第二設定車速よりも高い第四設定車速を上回るまでは前記第二制御手段による前記エンジンの自動停止を禁止することが好ましい。
（３）前記第三設定車速は、前記第一設定車速よりも高いことが好ましい。
【発明の効果】
【００１３】
本発明のエンジン制御装置によれば、車速が第一設定車速を上回った後に停車を示すことを含む所定の停車時アイドルストップ実施条件が成立すると停車時アイドルストップが実施されてエンジンが自動的に停止されるため、例えば車庫入れ時や渋滞時といった第一設定車速を超えない車速範囲で停車及び発車を頻繁に繰り返す場合にエンジンが自動停止されることがない。よって、停車時におけるエンジンの自動停止の頻発を回避して、ドライバビリティを確保することができる。
また、車速が第二設定車速を上回った後に第三設定車速を下回って走行時アイドルストップ実施条件が成立した場合には、走行時（所謂コースト時）にエンジンが自動的に停止されることにより、燃費を向上させることができる。一方、例えば渋滞時における波状走行といった第二設定車速を超えない車速範囲で第三設定車速を繰り返し下回る場合にエンジンが自動停止されることがない。よって、走行時におけるエンジンの自動停止の頻発を回避して、ドライバビリティを確保することができる。
さらに、第二設定車速が第一設定車速よりも高いため、走行時におけるエンジンの自動停止の頻発を回避することによりドライバビリティを確保するとともに、停車時においてエンジンを自動的に停止させる機会を確保することにより燃費を向上させることができる。
【図面の簡単な説明】
【００１４】
【図１】本発明の一実施形態にかかるエンジン制御装置を模式的に示す全体図である。
【図２】本発明の一実施形態にかかるエンジン制御装置により実施されるアイドルストップ実施条件の判定のうち、アイドルストップの実施を許可するか否かの判定手順を示すフローチャートであり、（ａ）は停車時におけるアイドルストップの実施許可判定を示し、（ｂ）は走行時おけるアイドルストップの実施許可判定を示す。
【図３】本発明の一実施形態にかかるエンジン制御装置により実施されるアイドルストップ実施条件の判定のうち、アイドルストップの実施を開始するか否かの判定手順を示すフローチャートである。
【図４】本発明の一実施形態にかかるエンジン制御装置によりアイドルストップが実施されるときの各パラメータを例示するタイムチャートであり、（ａ）は車速Ｖを示し、（ｂ）は停車時におけるアイドルストップの実施を許可する条件の成否を示すフラグＦsを示し、（ｃ）は走行時におけるアイドルストップの実施を許可する条件の成否を示すフラグＦcを示し、（ｄ）は走行時におけるアイドルストップの実施経験の有無を示すフラグＦEXPを示し、（ｅ）は運転者による制動操作の有無を示し、（ｆ）はアイドルストップの実施及び不実施を示す。
【発明を実施するための形態】
【００１５】
以下、図面を参照して、本発明に係る実施の形態について説明する。本実施形態のエンジン制御装置は、車両に搭載される。この車両には、軽自動車や普通自動車などの乗用自動車，トラックやバスなどの中型自動車或いは大型自動車が含まれる。
【００１６】
〔１．一実施形態〕
〔１−１．構成〕
〔１−１−１．制御装置の入出力装置の構成〕
図１を参照して、一実施形態に係る車両の全体構成を説明する。この車両は、エンジン制御装置（以下、「ＥＣＵ」と略称する）１とその入力側に接続された各検出器３〜５とその出力側に接続されたエンジン２とを備えている。このＥＣＵ１は、マイクロプロセッサやＲＯＭ（Read Only Memory），ＲＡＭ（Random Access Memory）等を集積したＬＳＩ（Large Scale Integration）デバイスや組み込み電子デバイスとして構成される電子制御装置である。
【００１７】
ＥＣＵ１の入力側に接続された各検出器３〜５は、ＥＣＵ１により実施されるアイドルストップ制御に必要な各情報を検出するものである。
本実施形態では、ＥＣＵ１がアイドルストップ制御を実施するにあたり、運転者による制動操作の情報と車速の情報とが少なくとも必要とされている。このため、ＥＣＵ１の入力側には、運転者による制動操作（サービスブレーキの操作）を検出するブレーキスイッチ（ブレーキＳＷ）３と車両の速度（車速）Ｖを検出する車速センサ４とが接続されている。ブレーキスイッチ３により検出された制動操作の情報と車速センサ４により検出された車速Ｖの情報とは、ＥＣＵ１に伝達される。
なお、ブレーキスイッチ３は、運転者の制動操作を検出するものであればこれに限らず、ブレーキ液圧センサといった他の検出器であってもよい。この場合、ブレーキ液圧センサにより検出されたブレーキ液圧の情報がＥＣＵ１に伝達される。
【００１８】
さらに、ＥＣＵ１がアイドルストップ制御を実施するにあたって必要なその他の情報（例えば、運転者によるアクセル操作の情報，ステアリング操作の有無やステアリングトルクの情報，バッテリの充電状態の情報）があれば、その他の情報を検出するその他の検出器５（破線で示す）がＥＣＵ１の入力側に接続される。
一方、ＥＣＵ１の出力側に接続されたエンジン２は、ＥＣＵ１により実施されるアイドルストップ制御の対象となる内燃機関である。
【００１９】
〔１−１−２．制御装置の構成〕
ＥＣＵ１はエンジン２に関する広汎なシステムを制御するが、以下の説明では、エンジン２を自動的に停止させるアイドルストップとエンジン２を自動的に再始動させるアイドルスタートとを実施するアイドルストップ制御にかかる構成に着目してＥＣＵ１を説明する。
このＥＣＵ１は、各機能要素として、停車時におけるアイドルストップを実施するための停車時アイドルストップ制御部（第一制御手段）１０と、車両走行時（所謂コースト時）におけるアイドルストップを実施するための走行時アイドルストップ制御部（第二制御手段）２０と、車両の停止時及び走行時のアイドルスタートを実施するためのアイドルスタート制御部（第三制御手段）３０とを有する。
【００２０】
停車時アイドルストップ制御部１０は、エンジン２の稼働中に停車時アイドルストップ実施条件が成立するとアイドルストップを実施し、走行時アイドルストップ制御部２０は、エンジン２の稼働中に走行時アイドルストップ実施条件が成立するとアイドルストップを実施し、アイドルスタート制御部３０は、アイドルストップ制御部１０，２０によるエンジン２の自動停止中に再始動条件が成立するとアイドルスタート（エンジン再始動）を実施する。
以下、停車時アイドルストップ制御部１０，走行時アイドルストップ制御部２０，アイドルスタート制御部３０の順に説明する。
【００２１】
〔１−１−２−１．停車時アイドルストップ制御にかかる構成〕
停車時アイドルストップ制御部１０は、その機能要素として、停車時アイドルストップ実施条件の成否を判定する停車時アイドルストップ実施条件判定部１１を備える。この停車時アイドルストップ制御部１０は、停車時アイドルストップ実施条件判定部１１により停車時アイドルストップ実施条件の成立が判定されると、停車時におけるアイドルストップを実施する。逆に、停車時アイドルストップ実施条件判定部１１により停車時アイドルストップ実施条件の非成立が判定されると、停車時におけるアイドルストップを実施しない。
【００２２】
停車時アイドルストップ実施条件判定部１１は、停車時におけるアイドルストップの実施を許可する条件（以下、「停車時アイドルストップ許可条件」という）の成否を判定する許可条件判定部１１ａと、停車時におけるアイドルストップの実施を開始する条件（以下、「停車時アイドルストップ開始条件」という）の成否を判定する開始条件判定部１１ｂとを有する。この停車時アイドルストップ実施条件判定部１１は、上記の停車時アイドルストップ許可条件及び停車時アイドルストップ開始条件の何れもが成立したときに、停車時アイドルストップ実施条件が成立したと判定する。なお、停車時アイドルストップ許可条件は停車時アイドルストップ実施条件の前提条件であり、許可条件判定部１１ａにより停車時アイドルストップ許可条件の成否が判定され、開始条件判定部１１ｂによる停車時アイドルストップ開始条件の成否が判定される。
【００２３】
「停車時アイドルストップ許可条件」とは、「車速センサ４により検出された車速Ｖが第一設定車速Ｖ1を上回ったこと」である。すなわち、許可条件判定部１１ａは、車速センサ４により検出された車速Ｖが第一設定車速Ｖ1を上回ったか否かを判定して、停車時アイドルストップ許可条件の成否を判定する。具体的には、車速Ｖが第一設定車速Ｖ1よりも高くなれば停車時アイドルストップ許可条件の成立判定が保持される。言い換えれば、第一設定車速Ｖ1を上回る車速Ｖでの走行経験があれば停車時アイドルストップ許可条件が成立し、停車や第一設定車速Ｖ1以下での車速Ｖの範囲内（以下、単に「車速範囲内」という）の走行経験しかなければ停車時アイドルストップ許可条件は成立しない。
ここでいう第一設定車速Ｖ1は、極低速の走行を強いられる渋滞時や車庫入れなど停車及び発車を頻繁に繰り返す場合の上限車速として予め実験的又は経験的に設定されており、例えば５ｋｍ/ｈといった車速を用いることができる。
【００２４】
なお、許可条件判定部１１ａは、アイドルスタート制御部３０により停車時のアイドルスタートが実施されると、停車時アイドルストップ許可条件の成立判定をリセットする。詳細には、停車時におけるアイドルスタートの実施後に車速Ｖが第一設定車速Ｖ1を上回るまでは停車時アイドルストップ許可条件の非成立が判定され、車速Ｖが第一設定車速Ｖ1を上回ってから停車時におけるアイドルスタートが実施されるまで停車時アイドルストップ許可条件の成立が判定される。
【００２５】
ただし、アイドルスタート制御部３０による走行時のアイドルスタートの実施は、許可条件判定部１１ａによる停車時アイドルストップ許可条件の成否判定に関係がない。したがって、許可条件判定部１１ａは、走行時におけるアイドルスタートが実施されたとしても実施されなかったとしても、上記したように停車時アイドルストップ許可条件の成否を判定する。
【００２６】
「停車時アイドルストップ開始条件」とは、「アイドルストップを実施するのに支障がない諸々の前提条件が何れも成立すると共に運転者による車両停止意思が検出され、且つ、車両が停車したこと」である。
「諸々の前提条件」とは、例えば、エンジン２が暖機運転を完了していること、エンジン２で駆動される機器が非作動或いは作動要求がないこと（例えば、エンジン２で駆動されるコンプレッサを用いるエアコンが非作動であることや、エンジン２で駆動される発電機によるは発電電力を使用する車両の機器類が非作動であること、エンジン２の吸気負圧を利用するブレーキのマスタバック負圧が所定値以上であること等）、排気浄化用の触媒が活性化していること、エンジン２の作動にかかるセンサ類が正常であること等などがあげられる。
【００２７】
「運転者による車両停止意思が検出される」とは、「サービスブレーキが操作されていることが検出される」ことであるが、アクセル操作がされていないこと（エンジンがアイドリング状態であること）も必要な前提条件である。
「車両が停車したこと」とは、車速センサ４により検出された車速Ｖが停車を示すことを意味する。具体的には、車速センサ４により検出された車速Ｖが０ｋｍ/ｈやその極近傍の停車判定車速以下であることを意味する。以下、「車両が停車したこと」という場合にも同様の意味で用いる。
【００２８】
開始条件判定部１１ｂは、上記諸々の前提条件が何れも成立している状況下で運転者による制動操作によって停車すると停止時アイドルストップ開始条件の成立を判定する。言い換えれば、開始条件判定部１１ｂは、上記諸々の前提条件の成立下で、ブレーキスイッチ３により運転者の制動操作が検出されている場合に、車速センサ４により検出された車速Ｖが停車を示すか否かを判定して、車両が停車したか否かを判定する。つまり、停車時アイドルストップ開始条件は、停車するまでは成立せず、停車すると成立する。
【００２９】
〔１−１−２−２．走行時アイドルストップ制御にかかる構成〕
走行時アイドルストップ制御部２０は、その機能要素として、走行時アイドルストップ実施条件の成否を判定する走行時アイドルストップ実施条件判定部２１を備える。この走行時アイドルストップ制御部２０は、走行時アイドルストップ実施条件判定部２１により走行時アイドルストップ実施条件の成立が判定されると、走行時におけるアイドルストップを実施する。逆に、走行時アイドルストップ実施条件判定部２１により走行時アイドルストップ実施条件の非成立が判定されると、走行時におけるアイドルストップを実施しない。
【００３０】
走行時アイドルストップ実施条件判定部２１は、走行時におけるアイドルストップの実施を許可する条件（以下、「走行時アイドルストップ許可条件」という）の成否を判定する許可条件判定部２１ａと、走行時におけるアイドルストップの実施を開始する条件（以下、「走行時アイドルストップ開始条件」という）の成否を判定する開始条件判定部２１ｂとを有する。この走行時アイドルストップ実施条件判定部２１は、上記の走行時アイドルストップ許可条件及び走行時アイドルストップ開始条件の何れもが成立したときに、走行時アイドルストップ実施条件が成立したと判定する。なお、走行時アイドルストップ許可条件は走行時アイドルストップ実施条件の前提条件であり、許可条件判定部２１ａにより走行時アイドルストップ許可条件の成否が判定され、開始条件判定部２１ｂによる走行時アイドルストップ開始条件の成否が判定される。
【００３１】
「走行時アイドルストップ許可条件」は、「車速センサ４により検出された車速Ｖが、走行時におけるアイドルストップの実施を許可する判定車速として予め設定された第二設定車速Ｖ2を上回ったこと」及び「走行時におけるアイドルストップの実施を経験していない（リセットされている）こと」である。
ここでいう第二設定車速Ｖ2は、上記の第一設定車速Ｖ1よりも高く、車両の巡航走行時の下限車速よりも低い車速であるとともに、低速での波状運転を強いられる渋滞時などの上限車速として予め実験的又は経験的に設定されており、例えば２５ｋｍ/ｈといった車速を用いることができる。
【００３２】
また、走行時におけるアイドルストップの実施経験は、直近の車両走行中にアイドルストップが実施されたら実施経験ありとされ、少なくとも下記の（Ａ１）又は（Ａ２）の場合にリセットされる。
（Ａ１）車両が停車したこと。
（Ａ２）車速センサ４により検出された車速Ｖが第四設定車速Ｖ4を上回ったこと。
【００３３】
上記（Ａ１）の場合、走行中にアイドルストップが実施された後に停車すると、アイドルストップの実施経験がリセットされる。また、上記（Ａ２）の場合、走行中にアイドルストップが実施された後に停車することなく車速Ｖが第四設定車速Ｖ4を上回ると、アイドルストップの実施経験がリセットされる。
ここでいう第四設定車速Ｖ4は、上記の第二設定車速Ｖ2よりも高く、低速或いは中速での波状運転を強いられる渋滞時などの上限車速として予め実験的又は経験的に設定されており、例えば４０ｋｍ/ｈといった車速を用いることができる。
【００３４】
以下、「走行時アイドルストップ許可条件」を、走行中におけるアイドルストップの走行経験が上記（Ａ１）の場合にリセットされたときのもの、上記（Ａ２）の場合にリセットされたときのものの順に説明する。
【００３５】
「走行時アイドルストップ許可条件」は、上記（Ａ１）が成立して走行中におけるアイドルストップの実施経験がリセットされた場合には「車速センサ４により検出された車速Ｖが第二設定車速Ｖ2を上回ったこと」である。すなわち、許可条件判定部２１ａは、車速センサ４により検出された車速Ｖが第二設定車速Ｖ2を上回ったか否かを判定して、走行時アイドルストップ許可条件の成否を判定する。具体的には、走行中におけるアイドルストップが実施された後に停車した場合、車速Ｖが第二設定車速Ｖ2よりも高くなれば走行時アイドルストップ許可条件が成立していると判定される。言い換えれば、走行時アイドルストップ許可条件は、上記（Ａ１）が成立して走行中におけるアイドルストップの実施経験がリセットされてから、第二設定車速Ｖ2を上回る車速Ｖでの走行経験があれば成立し、第二設定車速Ｖ2以下の車速範囲内の走行経験しかなければ成立しない。
【００３６】
一方、「走行時アイドルストップ許可条件」は、上記（Ａ２）が成立して走行中におけるアイドルストップの実施経験がリセットされると成立する。すなわち、許可条件判定部２１ａは、走行中にエンジン２が自動再始動された後に停車することなく走行を継続した場合、車速センサ４により検出された車速Ｖが第四設定車速Ｖ4を上回ったか否かを判定して、走行時アイドルストップ許可条件の成否を判定する。具体的には、車速Ｖが第四設定車速Ｖ4よりも高くなれば走行中におけるアイドルストップの実施経験がリセットされて走行時アイドルストップ許可条件が成立していると判定される。
すなわち、第四設定車速Ｖ4は第二設定車速Ｖ2よりも高く設定されているため、車速Ｖが第四設定車速Ｖ4を上回った場合には、必然的に「車速センサ４により検出された車速Ｖが、走行時におけるアイドルストップの実施を許可する判定車速として予め設定された第二設定車速Ｖ2を上回ったこと」と上記（Ａ２）の場合の「走行時におけるアイドルストップの実施を経験していない（リセットされている）こと」とが満たされ、走行時アイドルストップ許可条件が成立する。言い換えれば、走行時アイドルストップ許可条件は、走行中にエンジン２が自動再始動された後に停車することなく走行を継続した場合、第四設定車速Ｖ4を上回る車速Ｖでの走行経験があれば成立し、第四設定車速Ｖ4以下の車速範囲内の走行経験しかなければ成立しない。
【００３７】
つまり、「走行時アイドルストップ許可条件」は、車両の走行中に後述する再始動条件が成立してアイドルスタート制御部３０によってエンジン２が自動的に再始動された後は、（ｉ）車両が停止していない、又は、（ｉｉ）車速センサ４によって検出された車速Ｖが第四設定車速Ｖ4を上回っていないと成立しない。
このように、車両の走行中に再始動条件が成立してアイドルスタート制御部３０によってエンジン２が自動的に再始動された場合、車両が停車する、又は、車速センサ４によって検出された車速Ｖが第二設定車速Ｖ2よりも高い第四設定車速Ｖ4を上回るまでは走行時アイドルストップ制御部２０によるアイドルストップが禁止される。
【００３８】
言い換えれば、ＥＣＵ１は、車両の走行中に再始動条件が成立してアイドルスタート制御部３０によってエンジン２が自動的に再始動された場合、車両が停車するか、又は、車速センサ４によって検出された車速Ｖが第二設定車速Ｖ2よりも高い第四設定車速Ｖ4を上回るまでは走行時アイドルストップ制御部２０によるアイドルストップを禁止する。
【００３９】
「走行時アイドルストップ開始条件」とは、「アイドルストップを実施するのに支障がない諸々の前提条件が成立すると共に運転者による車両停止意思が検出され、且つ、車速センサ４により検出された車速Ｖが第三設定車速Ｖ3を下回ったこと」である。「停車時アイドルストップ開始条件」の車速条件が「車速Ｖが停車を示すこと」であるのに対して、「走行時アイドルストップ開始条件」の車速条件は「車速Ｖが第三設定車速Ｖ3を下回ったこと」であり、この車速条件が相違する。
「走行時アイドルストップ開始条件」と「停車時アイドルストップ開始条件」とでは、車速条件以外にも、例えばステアリングトルクの判定閾値などの一部の条件は異なるが、その他の条件は同様に設定されている。
【００４０】
開始条件判定部２１ｂは、上記の諸々の前提条件が何れも成立している状況下で、ブレーキスイッチ３により運転者の制動操作が検出されている場合に、車速センサ４により検出された車速Ｖが第三設定車速Ｖ3を下回ったか否かを判定して、走行時アイドルストップ開始条件の成否を判定する。具体的には、車速Ｖが第三設定車速Ｖ3を下回れば走行時アイドルストップ開始条件の成立が判定され、そうでなければ走行時アイドルストップ開始条件の非成立が判定される。
ここでいう第三設定車速Ｖ3は、本実施形態では上記の第二設定車速Ｖ2よりも低く、運転者が停車させようとしていると見做すことのできる停車直前の上限車速として予め実験的又は経験的に設定されており、例えば１２ｋｍ/ｈといった車速を用いることができる。
【００４１】
このように、ＥＣＵ１には、アイドルストップの実施にかかる条件として、停車時アイドルストップ実施条件と走行時アイドルストップ実施条件とがそれぞれ用意されている。詳細には、停車時におけるアイドルストップの実施にかかる判定車速としての第一設定車速Ｖ1と、走行時におけるアイドルストップの実施にかかる判定車速としての第二設定車速Ｖ2，第三設定車速Ｖ3及び第四設定車速Ｖ4とのそれぞれが用意されており、第一設定車速Ｖ1と第二設定車速Ｖ2，第三設定車速Ｖ3及び第四設定車速Ｖ4とが個別に設定されている。
【００４２】
なお、上記の各アイドルストップ実施条件に、例えば運転者によりステアリング操作がされていないことやバッテリ充電状態がセルモータ（図示略）でエンジン２を始動させるのに十分であることなどのその他の条件を加重してもよい。この場合、各アイドルストップ実施条件判定部１１，２１は、その他の検出器５による検出情報に基づきその他の条件の成否を判定して各アイドルストップ実施条件の成否を判定する。
【００４３】
〔１−１−２−３．アイドルススタート制御にかかる構成〕
アイドルスタート制御部３０は、その機能要素として、再始動条件の成否を判定する再始動条件判定部３１を備える。「再始動条件」とは、「運転者による車両発進意思が検出されたこと、及び、上記の各アイドルストップ開始条件の諸々の前提条件の何れかが不成立となったこと、の少なくとも何れかが成立すること」である。「運転者による車両発進意思が検出された」とは、「運転者によるサービスブレーキの操作解除が検出された」ことである。したがって、本実施形態では、アイドルストップ開始条件が成立すると再始動条件は非成立となり、逆に、再始動条件が成立するとアイドルストップ開始条件は非成立となる。
【００４４】
アイドルスタート制御部３０は、アイドルストップが実施されているエンジンの自動停止中に、再始動条件判定部３１により再始動条件の成立が判定されると、アイドルスタートを実施する。逆に、アイドルストップが実施されているときに、再始動条件判定部３１により再始動条件の非成立が判定されると、アイドルスタートを実施しない。
【００４５】
再始動条件判定部３１は、ブレーキスイッチ３からの検出信号に基づいて運転者による車両の制動操作の有無を判定すると共に、上記の諸々の前提条件の成立，不成立を判定して、再始動条件の成否を判定する。
なお、運転者の車両発進意思にかかる再始動条件は、上記のものに限らず、例えば運転者によりアクセル操作やステアリング操作がされたこととしてもよい。この場合、再始動条件判定部３１は、その他の検出器５からの検出情報に基づいて再始動条件の成否を判定する。
【００４６】
〔１−２．フローチャート〕
次に、図２及び図３のフローチャートを参照して、ＥＣＵ１で実施される制御手順を説明する。各フローチャートは所定の制御処理周期で繰り返し実施される。また、各フローチャート中の各ステップは、ＥＣＵ１のハードウェアに割り当てられた各機能がソフトウェア（コンピュータプログラム）によって動作することで実施される。
【００４７】
〔１−２−１．アイドルストップ許可条件の判定フロー〕
以下、図２を参照して、アイドルストップの実施を許可する判定を説明する。
はじめに、図２（ａ）を参照して、停車時アイドルストップ許可条件の判定を説明する。なお、図２（ａ）及び後述する図３に示すフラグＦsは、１であれば停車時アイドルストップ許可条件の成立を示し、０であれば停車時アイドルストップ許可条件の非成立を示す。
【００４８】
ステップＡ１０では、フラグＦsが０か否かを判定する。つまり、このステップＡ１０では、停車時アイドルストップ許可条件が非成立か否かを判定している。停車時アイドルストップ許可条件が非成立であればステップＡ２０へ移行し、そうでなければ本制御処理周期を終了（以下、「リターン」という）する。
ステップＡ２０では、車速Ｖが第一設定車速Ｖ1よりも高いか否かを判定する。つまり、このステップＡ２０では、車速Ｖが第一設定車速Ｖ1を上回ったか否かを判定している。車速Ｖが第一設定車速Ｖ1を上回っていればステップＡ３０へ移行し、そうでなければリターンする。
ステップＡ３０では、フラグＦsを１にセットする。そしてリターンする。
【００４９】
次に、図２（ｂ）を参照して、走行時アイドルストップ許可条件判定を説明する。なお、図２（ｂ）及び後述する図３に示すフラグＦcは、１であれば走行時アイドルストップ許可条件の成立を示し、０であれば走行時アイドルストップ許可条件の非成立を示す。また、フラグＦEXPは、１であれば直近の車両走行時にアイドルストップが実施されていることを示し、０であれば直近の車両走行時にアイドルストップが実施されていないことを示す。
【００５０】
ステップＢ１０では、フラグＦcが０か否かを判定する。つまり、このステップＢ１０では、走行時アイドルストップ許可条件が非成立か否かを判定している。走行時アイドルストップ許可条件が非成立であればステップＢ２０へ移行し、そうでなければリターンする。
ステップＢ２０では、フラグＦEXPが０か否かを判定する。つまり、このステップＢ２０では、直近の車両走行時にアイドルストップの実施がされていないか否かを判定している。直近の車両走行時にアイドルストップが実施されていなければステップＢ３０へ移行し、そうでなければステップＢ５０へ移行する。
【００５１】
ステップＢ３０では、車速Ｖが第二設定車速Ｖ2よりも高いか否かを判定する。つまり、このステップＢ２０では、車速Ｖが第二設定車速Ｖ2を上回ったか否かを判定している。車速Ｖが第二設定車速Ｖ2を上回っていればステップＢ４０へ移行し、そうでなければリターンする。
ステップＢ４０では、フラグＦcを１にセットする。そしてリターンする。
また、ステップＢ５０では、車両が停車した（Ｖ≒０）か否かを判定する。車両が停車していればステップＢ６０へ移行し、そうでなければステップＢ７０へ移行する。
ステップＢ６０ではフラグＦEXPを０にセットする。そしてリターンする。
【００５２】
ステップＢ７０では、車速Ｖが第四設定車速Ｖ4よりも高いか否かを判定する。つまり、このステップＢ７０では、車速Ｖが第四設定車速Ｖ4を上回ったか否かを判定している。車速Ｖが第四設定車速Ｖ4を上回っていればステップＢ８０へ移行し、そうでなければリターンする。
ステップＢ８０では、フラグＦEXPを０にセットするとともにフラグＦcを１にセットする。そしてリターンする。
【００５３】
〔１−２−２．アイドルストップ開始条件の判定フロー〕
以下、図３を参照して、走行時及び停車時におけるアイドルストップ開始条件の判定を説明する。
まず、ステップＣ１０では、車速条件以外の各アイドルストップ開始条件が成立したか否かを判定する。つまり、ステップＣ１０では、車速条件以外の停車時アイドルストップ開始条件及び走行時アイドルストップ開始条件のそれぞれの成否を判定しており、これらのアイドルストップ開始条件の何れもが成立したか否かを判定している。これは、再始動条件が非成立か否かを判定していることにもなっている。車速条件以外の各アイドルストップ開始条件の成立が判定されるとステップＣ２０へ移行し、非成立が判定されるとステップＣ１００へ移行する。
【００５４】
ステップＣ２０では、フラグＦcが１か否かを判定する。つまり、このステップＣ２０では、走行時アイドルストップ許可条件の成否を判定している。走行時アイドルストップ許可条件が成立していれば（フラグＦcが１であれば）ステップＣ３０へ移行し、そうでなければ（フラグＦcが０であれば）ステップＣ７０へ移行する。
【００５５】
ステップＣ３０では、車速Ｖが第三設定車速Ｖ3よりも低いか否かを判定する。つまり、このステップＣ３０では、走行時アイドルストップ開始条件の車速条件の成否を判定している。この車速条件が成立していれば（車速Ｖが第三設定車速Ｖ3よりも低ければ）ステップＣ４０へ移行し、そうでなければリターンする。
ステップＣ４０では、車両が停車した（Ｖ≒０）か否かを判定する。このステップＣ４０では、停車時アイドルストップ開始条件の車速条件の成否を判定している。この車速条件が成立（Ｖ≒０）していればステップＣ８０へ移行し、そうでなければステップＣ５０へ移行する。
ステップＣ５０では、走行時におけるアイドルストップを実施する。そしてステップＣ６０へ移行する。
ステップＣ６０では、フラグＦEXPを１にセットする。そしてリターンする。
【００５６】
また、ステップＣ７０では、ステップＣ４０と同様に、車両が停車した（Ｖ≒０）か否かを判定する。車両が停車していればステップＣ８０へ移行し、そうでなければリターンする。
ステップＣ８０では、フラグＦsが１か否かを判定する。つまり、このステップＣ８０では、停車時アイドルストップ許可条件の成否を判定している。停車時アイドルストップ許可条件が成立していれば（フラグＦsが１であれば）ステップＣ９０へ移行し、そうでなければ（フラグＦsが０であれば）リターンする。
【００５７】
なお、ステップＣ８０では、走行時アイドルストップ許可条件の非成立が判定（Ｃ２０のＮＯルート）されている場合に車両が停車（Ｃ７０のＹＥＳルート）し、停車時アイドルストップ許可条件の非成立（Ｃ８０のＮＯルート）のときに、リターンする。
また、ステップＣ４０からステップＣ８０に移行した場合には、走行時アイドルストップ許可条件が成立しているため、必然的に停車時アイドルストップ条件も成立することになる。したがって、ステップＣ４０からステップＣ８０に移行した場合には、ステップＣ９０へ移行する。
ステップＣ９０では、停車時におけるアイドルストップを実施する。そしてリターンする。
【００５８】
また、ステップＣ１００では、アイドルストップの実施によりエンジン停止中か否かを判定する。エンジン停止中であればステップＣ１１０へ移行し、エンジン稼働中であればリターンする。
ステップＣ１１０では、車両が停車した（Ｖ≒０）か否かを判定する。車両が停車していればステップＣ１２０へ移行し、そうでなければステップＣ１３０へ移行する。
ステップＣ１２０では、フラグＦs及びフラグＦcの何れもを０にセットする。そしてステップＣ１４０へ移行する。
また、ステップＣ１３０では、フラグＦcだけを０にセットする。そしてステップＣ１４０へ移行する。
ステップＣ１４０では、アイドルスタートを実施する。そしてリターンする。
【００５９】
〔１−３．効果〕
本実施形態のエンジン制御装置は、上述のように構成されるため、以下のような効果を得ることができる。
停車時アイドルストップ制御部１０は、車速センサ４により検出された車速Ｖが第一設定車速Ｖ1を上回った後に停車を示すことを含む停車時アイドルストップ実施条件が成立すると停車時における車両のエンジン２を自動的に停止させるアイドルストップを実施するため、例えば車庫入れ時や渋滞時といった第一設定車速Ｖ1を超えない車速範囲で停車及び発車を頻繁に繰り返す場合に停車時におけるアイドルストップが実施されることがなく、もちろんエンジン２が自動的に再始動させるアイドルスタートが実施されることもない。よって、停車時におけるアイドルストップの頻発を回避して、ドライバビリティを確保することができる。
【００６０】
走行時アイドルストップ制御部２０は、車速センサ４により検出された車速Ｖが第二設定車速Ｖ2を上回った後に第二設定車速Ｖ2よりも低い第三設定車速Ｖ3を下回ったことを含む走行時アイドルストップ実施条件が成立すると車両の走行時におけるアイドルストップを実施するため、車速センサ４により検出された車速Ｖが第二設定車速Ｖ2を上回った後に第三設定車速Ｖ3を下回った場合には、走行時アイドルストップ実施条件が成立して走行時アイドルストップ制御部２０により走行時のアイドルストップが実施されることにより、燃費を向上させることができる。一方、例えば渋滞時における波状走行といった第二設定車速Ｖ2を超えない車速範囲で第三設定車速Ｖ3を繰り返し下回る場合にエンジン２が自動停止されることがなく、もちろんエンジン２が再始動されることもない。よって、走行時におけるアイドルストップの頻発を回避して、ドライバビリティを確保することができる。
【００６１】
さらに、走行時のアイドルストップにかかる走行時アイドルストップ実施条件の第二設定車速Ｖ2が第一設定車速Ｖ1よりも高いため、車速センサ４により検出された車速Ｖが第一設定車速Ｖ1を上回るものの第二設定車速Ｖ2を超えない車速範囲で第三設定車速Ｖ3を繰り返し下回った後に停車した場合には、走行時アイドルストップ実施条件は成立せずに停車時アイドルストップ実施条件が成立する。このため、走行時アイドルストップ制御部２０による走行時のアイドルストップは実施されずに停車時アイドルストップ制御部１０により停車時のアイドルストップが実施される。したがって、走行時におけるアイドルストップの頻発を回避することによりドライバビリティを確保するとともに、停車時におけるアイドルストップの実施機会を確保することにより燃費を向上させることができる。
【００６２】
〔発明が解決しようとする課題〕の欄で上述の組合せ技術では、アイドルストップの実施を許可する判定に用いる判定車速としてのエンジン停止許可車速が一つしか用意されておらず、このエンジン停止許可車速がエンジン停止開始車速（「第三設定車速Ｖ3」に対応）よりも高いほど、エンジン停止許可車速を超えない車速範囲でエンジン停止開始車速を下回ったときのアイドルストップの頻発を回避することができるため、エンジン停止許可車速をエンジン停止開始車速よりも低く設定することができない。一方で、エンジン停止許可車速が高いほど、車速がエンジン停止許可車速を超えなければ走行時におけるアイドルストップと停車時におけるアイドルストップとの何れもが禁止されてしまうため、燃費を向上させることができない。
【００６３】
これに対し、本実施形態のエンジン制御装置は、アイドルストップの実施判定に用いる判定車速として、停車時のアイドルストップにかかる第一設定車速Ｖ1と走行時のアイドルストップにかかる第二設定車速Ｖ2，第三設定車速Ｖ3及び第四設定車速Ｖ4とのそれぞれが用意されているため、第一設定車速Ｖ1と第二設定車速Ｖ2，第三設定車速Ｖ3及び第四設定車速Ｖ4とをそれぞれ個別に設定することができる。
【００６４】
特に本実施形態では、第三設定車速Ｖ3が第一設定車速Ｖ1よりも高く設定されているため、車速センサ４により検出された車速Ｖが第一設定車速Ｖ1を上回った後に第二設定車速Ｖ2を超えない車速範囲で繰り返し第三設定車速Ｖ3を下回って停車した場合には、走行時アイドルストップ実施条件が成立せずに走行時のアイドルストップが実施されず、停車時アイドルストップ実施条件が成立して停車時のアイドルストップが実施される。したがって、走行時におけるアイドルストップの頻発を回避してドライバビリティを確保するとともに、停車時におけるアイドルストップを実施する機会を確保して燃費を向上させることができる。
【００６５】
また、ＥＣＵ１は、走行時におけるアイドルスタートの実施後に、車両が停止するか、又は、車速Ｖが第四設定車速Ｖ4を上回るまでは走行時アイドルストップ制御部２０による走行時のアイドルストップを禁止するため、走行時のアイドルスタートが実施されてから車両の走行を継続しているときに、第四設定車速Ｖ4を超えない車速範囲で第三設定車速Ｖ3を繰り返し下回ったとしても、走行時のアイドルストップは実施されない。したがって、走行時におけるアイドルストップの頻発を回避してドライバビリティを確保することができる。
【００６６】
以下、本実施形態のエンジン制御装置によりアイドルストップが実施されるときの一例を、図４を参照して説明する。
時点ｔ1では、図４（ａ）に示すように車速Ｖが第一設定車速Ｖ1を上回り、図４（ｂ）に示すように停車時アイドルストップ許可条件が成立してフラグＦsが０（非成立）から１（成立）にセットされる。
時点ｔ2では、図４（ａ）に示すように車速Ｖが第二設定車速Ｖ2を上回り、図４（ｃ）に示すように走行時アイドルストップ許可条件が成立してフラグＦcが０（非成立）から１（成立）にセットされる。
【００６７】
時点ｔ3では図４（ｄ）に示すように運転者による制動操作が開始され、この制動操作が時点ｔ5まで継続される。このとき、図４（ａ）に示すように車速Ｖが低下し、時点ｔ4で第二設定車速Ｖ2よりも低く設定された第三設定車速Ｖ3を下回る。すなわち、時点ｔ4で走行時アイドルストップ開始条件が成立し、時点ｔ5で再始動条件が成立する。したがって、図４（ｄ）に示すように時点ｔ4から走行時におけるアイドルストップの実施経験にかかるフラグＦEXPが１にセットされ、図４（ｆ）に示すように時点ｔ4から時点ｔ5までアイドルストップが実施される。
【００６８】
時点ｔ5では、アイドルストップが解除されるため、図４（ｃ）に示すように走行時のアイドルストップにかかるフラグＦcがリセット（０にセット）される。なお、停車時のアイドルストップにかかるフラグＦsは、図４（ｂ）に示すように１にセットされたまま保持される。
【００６９】
時点ｔ5から時点ｔ6までは、図４（ａ）及び（ｅ）に示すように時点ｔ51，時点ｔ52，時点ｔ53，時点ｔ54，時点ｔ55，時点ｔ56で制動操作により繰り返し第三設定車速Ｖ3を下回る。このとき、図４（ｄ）に示すようにフラグＦEXPが１にセットされたままであるため、図４（ｃ）に示すように走行時アイドルストップ許可条件の成否にかかるフラグＦsは０（非成立）にセットされる。このため、図４（ｆ）に示すようにアイドルストップが実施されない。そして、時点ｔ6以降は、図４（ｄ）に示すように、フラグＦEXPが０にセットされる。
【００７０】
仮に、走行時アイドルストップ許可条件が、アイドルストップの実施経験にかかわらず第三設定車速Ｖ3を上回った後に第二設定車速Ｖ2を下回ったときに成立するものであれば、図４（ｆ）に破線で示すように時点ｔ51，時点ｔ52，時点ｔ53，時点ｔ54，時点ｔ55，時点ｔ56でアイドルストップが実施されることになり、アイドルストップが頻発してしまう。
【００７１】
しかしながら、本実施形態のエンジン制御装置では、走行中にアイドルスタートが実施されてから車両の走行を継続しているときに、第二設定車速Ｖ2よりも高く設定された第四設定車速Ｖ4（図示略）を超えない車速範囲で第三設定車速Ｖ3を繰り返し下回ったとしても、走行時のアイドルストップが実施されない。すなわち、ＥＣＵ１は、走行時におけるアイドルスタートが実施されてから車両の走行を継続しているときに、車速Ｖが第四設定車速Ｖ4を上回るまでは走行時アイドルストップ制御部２０による走行時のアイドルストップを禁止する。したがって、走行時のアイドルストップを一旦実施した後において、走行時のアイドルストップの頻発を回避することができる。
【００７２】
時点ｔ6以降は、図４（ａ）に示すように車速Ｖが停車（Ｖ≒０）を示し、図４（ｅ）に示すように制動操作が継続されている。この時点ｔ6以降は、図４（ｂ）に示すようにフラグＦsが１にセットされている、即ち、停車時アイドルストップ許可条件が成立しているため、図４（ｆ）に示すようにアイドルストップが実施される。したがって、停車時におけるアイドルストップを実施する機会を確保して燃費を向上させることができる。
【００７３】
なお、図示省略するが、時点ｔ6以降に、第二設定車速Ｖ2を超えない車速範囲で第三設定車速Ｖ3を繰り返し下回ったとしても、走行時のアイドルストップが実施されない。したがって、走行時のアイドルストップを一旦実施した後において、走行時のアイドルストップの頻発を確実に回避することができる。
【００７４】
〔２．その他〕
以上、本発明の実施形態について説明したが、本発明は上述の実施形態に限定されるものではなく、本発明の趣旨を逸脱しない範囲で種々変形して実施することができる。
上述の一実施形態では、第三設定車速Ｖ3が第一設定車速Ｖ1よりも高く設定されたものを示したが、第一設定車速Ｖ1と第三設定車速Ｖ3との高低関係は任意である。つまり、停車時におけるアイドルストップの頻発の回避度合に依って第一設定車速Ｖ1を設定することができ、これとは別個に、走行時におけるアイドルストップの実施機会の確保度合に依って第三設定車速Ｖ3を設定することができる。このため、場合に依っては、第一設定車速Ｖ1を第三設定車速Ｖ3よりも高く設定することができ、或いは、第一設定車速Ｖ1と第三設定車速Ｖ3とを等しい車速に設定することができる。
【００７５】
上述の一実施形態では、走行時及び停車時におけるアイドルストップが解除されると走行時アイドルストップ許可条件の成否判定がリセットされるものを示したが、この成否判定が、停車時におけるアイドルストップの解除ではリセットされないが走行時におけるアイドルストップの解除でリセットされることとしてもよい。逆に、走行時アイドルストップ許可条件の成否判定が走行時におけるアイドルストップの終了ではリセットされないが停車時におけるアイドルストップの終了でリセットされることとしてもよい。これらの場合、走行時のアイドルストップが実施されやすくなるが、制御ロジックを簡素にすることができる。
【００７６】
また、「走行時アイドルストップ許可条件」にかかるアイドルストップ実施経験は、上記（Ａ２）の場合にリセットされるものに限らず、これに替えて、車速センサ４により検出された車速Ｖが第二設定車速Ｖ2を上回ったときにリセットされてもよい。この場合、本発明のエンジン制御装置には、停車時におけるアイドルストップの実施にかかる判定車速としての第一設定車速Ｖ1と、走行時におけるアイドルストップの実施にかかる判定車速としての第二設定車速Ｖ2及び第三設定車速Ｖ3とが少なくとも用意されていればよいため、制御ロジックを簡素にすることができる。
【符号の説明】
【００７７】
１    ＥＣＵ
２    エンジン
３    ブレーキスイッチ
４    車速センサ（車速検出手段）
１０    停車時アイドルストップ制御部（第一制御手段）
１１    停車時アイドルストップ実施条件判定部
１１ａ    許可条件判定部
１１ｂ    開始条件判定部
２０    走行時アイドルストップ制御部（第二制御手段）
２１    走行時アイドルストップ実施条件判定部
２１ａ    許可条件判定部
２１ｂ    開始条件判定部
３０    アイドルスタート制御部（第三制御手段）
３１    再始動条件判定部
【図１】
2014196677.tif 000003
【図２】
2014196677.tif 000004
【図３】
2014196677.tif 000005
【図４】
2014196677.tif 000006